(57)【要約】【課題】携帯電話機等の情報処理装置が、ＧＰＳの測位に基づいて、ユーザが指定された位置にいないとされた場合に、所定のメッセージを所定の送信先に自動的に送信することである。【解決手段】情報処理装置としての携帯電話機１０が、外部機器と通信する通信手段と、ＧＰＳ衛星から受信される信号に基づく測位により現在位置を取得するＧＰＳ測位手段と、予め指定された指定位置情報、所定のメッセージ及び送信先を記憶する記憶手段とを備え、前記ＧＰＳ測位手段により測位された現在位置が、前記記憶手段に記憶された指定位置情報から外れている場合に、前記通信手段を介して、前記記憶手段に記憶されたメッセージを、前記記憶手段に記憶された送信先としてのＰＣ４０，携帯電話機５０に送信する。【選択図】  図１
2005269345.tif 000002
【特許請求の範囲】
【請求項１】
外部機器と通信する通信手段と、
ＧＰＳ衛星から受信される信号に基づく測位により現在位置を取得するＧＰＳ測位手段と、
予め指定された指定位置情報、所定のメッセージ及び送信先を記憶する記憶手段と、
前記ＧＰＳ測位手段により測位された現在位置が、前記記憶手段に記憶された指定位置情報から外れている場合に、前記通信手段を介して、前記記憶手段に記憶されたメッセージを、前記記憶手段に記憶された送信先に送信する制御手段と、
を備えることを特徴とする情報処理装置。
【請求項２】
現在時刻を取得する計時手段を備え、
前記記憶手段は、予め指定された指定時刻を記憶し、
前記制御手段は、前記計時手段により取得された現在時刻が、前記記憶手段に記憶された指定時刻になった場合に、前記通信手段を介して前記メッセージを前記送信先に送信することを特徴とする請求項１に記載の情報処理装置。
【請求項３】
ユーザに報知する報知手段を備え、
前記制御手段は、前記メッセージの送信又は前記指定時刻に対応して前記報知手段に報知させることを特徴とする請求項２に記載の情報処理装置。
【請求項４】
前記指定位置情報は、指定位置の有効範囲を含むことを特徴とする請求項１から３のいずれか一項に記載の情報処理装置。
【請求項５】
前記制御手段は、前記記憶手段に記憶された指定位置情報から、前記ＧＰＳ測位手段により測位された現在位置までの距離を算出して前記メッセージに追加することを特徴とする請求項１から４のいずれか一項に記載の情報処理装置。
【請求項６】
ユーザの操作入力を受け付ける操作手段を備え、
前記制御手段は、前記操作手段の操作入力に基づいて前記記憶手段への記憶設定又は記憶された情報の更新を行うことを特徴とする請求項１から５のいずれか一項に記載の情報処理装置。
【請求項７】
コンピュータに、
外部機器と通信する通信機能と、
ＧＰＳ衛星から受信される信号に基づく測位により現在位置を取得する機能と、
予め指定された指定位置情報及び所定のメッセージを記憶する機能と、
前記測位された現在位置が、前記指定位置情報から外れている場合に、前記通信機能により、前記記憶されたメッセージを、前記記憶された送信先に送信する機能と、
を実現させるための情報送信プログラム。
【発明の詳細な説明】
【技術分野】
【０００１】
本発明は、情報処理装置及び情報送信プログラムに関する。
【背景技術】
【０００２】
従来、携帯電話機には、撮影機能など、様々な機能が付加されているものがあった。その付加機能として、電子メールの送受信機能や、人工衛星を用いた位置計測システム（ＧＰＳ：Global Positioning System）により、ユーザ（携帯電話機）の位置を計測するＧＰＳ機能などがあった。
【０００３】
また、ＧＰＳ衛星あるいは無線通信網の基地局の位置情報を利用して携帯情報端末が自己の位置を特定し、現在位置が予め内部メモリに記憶させた行動予定の位置と一致していない場合に、その旨をユーザに伝える構成が考えられていた（例えば、特許文献１参照）。また、複数の基地局の位置情報を利用してＰＨＳの位置を特定し、サーバがＰＨＳの位置を管理し、ＰＨＳの現在位置がユーザの行動予定の位置と一致していない場合に、その旨をサーバから所定の装置（固定電話機）に通知する構成が考えられていた（例えば、特許文献２参照）。
【特許文献１】特開２００３−７８９４４号公報
【特許文献２】特開２００２−１０１４４２号公報
【発明の開示】
【発明が解決しようとする課題】
【０００４】
しかし、特許文献１に記載の発明では、ユーザの現在位置が行動予定の位置と一致していない旨をユーザ以外の第三者に伝えることができなかった。また、特許文献２に記載の発明では、位置管理用サーバを構築するので装置規模が大きくなるおそれがあった。また、基地局の位置情報を用いて位置測定するので、位置測定の精度が基地局の設置条件に左右されるおそれがあった。
【０００５】
本発明の課題は、携帯電話機等の情報処理装置が、ＧＰＳの測位に基づいて、ユーザが指定された位置にいないとされた場合に、所定のメッセージを所定の送信先に自動的に送信することである。
【課題を解決するための手段】
【０００６】
以上の課題を解決するために、本発明は、
外部機器と通信する通信手段と、
ＧＰＳ衛星から受信される信号に基づく測位により現在位置を取得するＧＰＳ測位手段と、
予め指定された指定位置情報、所定のメッセージ及び送信先を記憶する記憶手段と、
前記ＧＰＳ測位手段により測位された現在位置が、前記記憶手段に記憶された指定位置情報から外れている場合に、前記通信手段を介して、前記記憶手段に記憶されたメッセージを、前記記憶手段に記憶された送信先に送信する制御手段と、
を備えることを特徴とする情報処理装置である。
【０００７】
また、例えば、現在時刻を取得する計時手段を備え、
前記記憶手段は、予め指定された指定時刻を記憶し、
前記制御手段は、前記計時手段により取得された現在時刻が、前記記憶手段に記憶された指定時刻になった場合に、前記通信手段を介して前記メッセージを前記送信先に送信することとして構成してもよい。
【０００８】
また、例えば、ユーザに報知する報知手段を備え、
前記制御手段は、前記メッセージの送信又は前記指定時刻に対応して前記報知手段に報知させることとして構成してもよい。
【０００９】
また、例えば、前記指定位置情報は、指定位置の有効範囲を含むこととして構成してもよい。
【００１０】
また、例えば、前記制御手段は、前記記憶手段に記憶された指定位置情報から、前記ＧＰＳ測位手段により測位された現在位置までの距離を算出して前記メッセージに追加することとして構成してもよい。
【００１１】
また、例えば、ユーザの操作入力を受け付ける操作手段を備え、
前記制御手段は、前記操作手段の操作入力に基づいて前記記憶手段への記憶設定又は記憶された情報の更新を行うこととして構成してもよい。
【発明の効果】
【００１２】
本発明によれば、ＧＰＳで測位された現在位置が、指定位置情報から外れている場合に、所定のメッセージを所定の送信先に送信するので、位置管理サーバを要しない簡単な構成により、情報処理装置を使用するユーザが指定された位置にいないとされた場合に、所定のメッセージを所定の送信先に自動的に送信することができる。
【発明を実施するための最良の形態】
【００１３】
以下、添付図面を参照して本発明に係る好適な実施の形態を詳細に説明する。先ず、図１及び図２を参照して、本実施の形態の装置構成を説明する。図１に、本実施の形態の携帯電話システム１００の構成を示す。図２に、携帯電話機１０の内部構成を示す。
【００１４】
図１に示すように、本実施の形態の携帯電話システム１００は、ＧＰＳによる位置情報を取得する機能（以下、ＧＰＳ機能とする）及びメール送受信機能を有する携帯電話機１０と、携帯電話機の通信及び通話を介する基地局３０と、ＰＣ（Personal Computer）４０と、携帯電話機５０とを備えて構成され、基地局３０及びＰＣ４０とが通信ネットワークＮに接続され、携帯電話機１０，５０が基地局３０と無線通信接続可能である。
【００１５】
後述するメールの送信先としてのＰＣ４０及び携帯電話機５０は、代表的に示したものであり、その台数がこの例に限定されるものではない。また送信先は、メールを受信可能な機器であればよく、ＰＣ、携帯電話機に限定されるものではない。また、基地局３０は、複数の基地局を代表して示したものであり、その台数がこの例に限定されるものではない。
【００１６】
また、携帯電話機１０は、少なくともＧＰＳによる位置情報を取得可能で且つメッセージ情報の外部への送信が可能な機能を有する移動可能な情報処理装置であればよく、例えば、ＰＨＳ、ＰＤＡ（Personal Digital Assistant）、携帯式ＰＣ、カーナビゲーションシステムなどとしてもよい。
【００１７】
通信ネットワークＮは、データ通信網及び電話回線網を含み、ＷＡＮ（Wide Area Network）、ＬＡＮ（Local Area Network）、ＩＳＤＮ（Integrated Services Digital Network）回線網、広帯域通信回線網、専用線、移動体通信網、通信衛星回線、ＣＡＴＶ（Cable Television）回線、光通信回線、無線通信回線と、それらを接続するインターネットサービスプロバイダなどを含む構成でもよい。
【００１８】
次いで、携帯電話機１０の内部構成を説明する。図２に示すように、携帯電話機１０は、ＣＰＵ１１と、ＲＯＭ１２と、ＲＡＭ１３と、液晶表示部１４と、キー入力部１５と、通信手段としてのアンテナ１６及び無線部１７と、スピーカ１８と、マイク１９と、音声変換回路２０と、バイブレータ２１と、報知手段としての鳴音部２２と、記憶手段としてのフラッシュメモリ２３と、ＧＰＳ測位手段としてのＧＰＳ部２４と、計時手段としての計時部２５と、を備えて構成される。
【００１９】
ＣＰＵ１１は、携帯電話機１０内の各部を中央制御する。ＣＰＵ１１は、ＲＯＭ１２に格納されているシステムプログラム及び各種アプリケーションプログラムの中から指定されたプログラムをＲＡＭ１３に展開し、ＲＡＭ１３に展開されたプログラムとの協働で、各種処理を実行する。このＣＰＵ１１とＲＡＭ１３内のプログラムとの組合せを制御手段とする。
【００２０】
ＲＯＭ１２は、各種データ及び各種プログラムを読み出し可能に記憶する。ＲＡＭ１３は、前記指定されたプログラム、入力指示、入力データ及び処理結果などを格納するワークエリアを有し、情報を一時的に格納する。
【００２１】
液晶表示部１４は、ＣＰＵ１１から入力される各種情報を表示する。また、液晶表示部１４に代えて、ＥＬディスプレイ（ElectroLuminescent Display）などの表示部としてもよい。
【００２２】
キー入力部１５は、ダイヤルキー（文字入力キー）、メニューキー及び各種機能キーなどの入力キーを備えて構成され、操作者（ユーザ）により押下されたキーに対応する押下信号をＣＰＵ１１に出力する。
【００２３】
無線部１７は、搬送波を音声変換回路２０から入力される通信データで変調処理し、アンテナ１６を介して無線通信信号を基地局３０に発信する。また、無線部１７は、アンテナ１６を介して基地局３０から受信した無線通信信号を、復調処理して通信データを取得し、その通信データを音声変換回路２０に出力する。また、無線部１７は、搬送波をＣＰＵ１１から入力される通信データで変調処理し、アンテナ１６を介して無線通信信号を基地局３０に発信する。また、無線部１７は、アンテナ１６を介して基地局３０から受信した無線通信信号を、復調処理して通信データを取得し、その通信データをＣＰＵ１１に出力する。つまり、無線部１７は、基地局３０及びアンテナ１６を介して、外部の通信データの送信先又は送信元の機器と無線通信接続される。
【００２４】
音声変換回路２０は、マイク１９から入力された音声信号をコード化処理して通信データに変換して無線部１７に出力する。また、音声変換回路２０は、無線部１７から入力された通信データをデコード処理して音声信号に変換してスピーカ１８に出力する。つまり、通話時に、マイク１９から入力された音声信号は、音声変換回路２０、無線部１７を順に介して無線通信信号としてアンテナ１６から発信され、当該無線通信信号が基地局３０を介して通話先の携帯電話などに送信される。また、通話時に、通話先の携帯電話などから基地局３０を介して送信された無線通信信号がアンテナ１６により受信され、無線部１７、音声変換回路２０を介して音声信号としてスピーカ１８から出力される。
【００２５】
バイブレータ２１は、携帯電話機１０の着信時などにＣＰＵ１１からの振動指示入力により振動し、当該振動によりユーザに通話やメールの着信などを報知する。鳴音部２２は、携帯電話機１０の着信時などにＣＰＵ１１からの鳴音指示により鳴音し、当該鳴音によりユーザに通話やメールの着信などを報知する。フラッシュメモリ２３は、電気的にデータの書き換えが可能な不揮発性のメモリである。
【００２６】
ＧＰＳ部２４は、ＧＰＳ衛星からの電波信号を受信し、当該信号に基づいて位置、移動方向、速度を計算することによって、移動体としての携帯電話機１０の位置を測位して、その位置情報を取得する。計時部２５は、現在の時刻情報をＣＰＵ１１に出力する。
【００２７】
次に、図３を参照して、フラッシュメモリ２３に記憶するデータを説明する。図３に、フラッシュメモリ２３に記憶するデータ構成を示す。図３に示すように、後述する設定入力処理の実行により、ユーザの予め設定された行動予定範囲を示す指定位置としての指定位置情報６１と、位置測定する指定時刻を示す指定時刻情報６２と、メールの予め設定された送信先を示す送信先情報６３と、メールの予め設定された件名を示す件名情報６４と、メールの予め設定された本文を示す本文情報６５と、現在位置から設定位置までの距離通知をするか否か、及びメール送信時のアラームを鳴音するか否かを示すオプション情報６６とがフラッシュメモリ２３に記憶される。
【００２８】
次に、図４〜図７を参照して、携帯電話機１０の動作を説明する。図４に、設定入力処理を示す。図５に、各種入力画面を示し、（ａ）に件名入力画面１４１を示し、（ｂ）に指定時刻入力画面１４２を示し、（ｃ）に送信先入力画面１４３を示し、（ｄ）に指定位置入力画面１４４を示し、（ｅ）に有効範囲入力画面１４５を示し、（ｆ）に本文入力画面１４６を示し、（ｇ）にオプション情報入力画面１４７を示す。図６に、自動メール送信処理を示す。図７に、図６の自動メール送信処理内の電子メール生成処理を示す。
【００２９】
図４を参照して、携帯電話機１０において実行される設定入力処理を説明する。設定入力処理は、携帯電話機１０において、後述する電子メール送信処理に用いる各種設定情報を入力してフラッシュメモリ２３に記憶する処理である。携帯電話機１０において、ユーザにより設定入力処理実行指示がキー入力部１５を介して入力されたことをトリガとして、ＣＰＵ１１と、ＲＯＭ１２から適宜読み出されてＲＡＭ１３に展開された設定入力プログラムとの協働により設定入力処理が実行される。
【００３０】
先ず、件名入力画面が液晶表示部１４に表示され、ユーザからキー入力部１５を介して、メールの件名が入力される（ステップＳ１１）。件名入力画面は、例えば図５（ａ）に示す件名入力画面１４１であり、件名として、「半休届け」、「待ち合わせに遅れます」などが入力される。
【００３１】
件名入力画面１４１は、「次へ」ボタンを有し、その押下により入力がユーザに承認される。また、件名入力画面１４１は、「取消」ボタンを有し、その押下により入力がユーザに取り消される。「次へ」ボタン及び「取消」ボタンは、以下の各画面１４２〜１４７、ステップＳ１３、Ｓ１５，Ｓ１７，Ｓ１９、Ｓ２１，Ｓ２３でも同様であるものとし、その説明を省略する。
【００３２】
そして、ステップＳ１１において入力が承認されたか否かが判別される（ステップＳ１２）。入力が取り消された場合（ステップＳ１２；ＮＯ）、設定入力処理が終了される。入力が承認された場合（ステップＳ１２；ＹＥＳ）、指定時刻入力画面が液晶表示部１４に表示され、ユーザからキー入力部１５を介して、指定時刻が入力される（ステップＳ１３）。指定時刻入力画面は、例えば図５（ｂ）に示す指定時刻入力画面１４２であり、指定時刻として、例えば、位置測定する時刻及び曜日など（毎日、曜日指定、平日、休日、１回のみなど）が入力される。
【００３３】
そして、ステップＳ１３において入力が承認されたか否かが判別される（ステップＳ１４）。入力が取り消された場合（ステップＳ１４；ＮＯ）、設定入力処理が終了される。入力が承認された場合（ステップＳ１４；ＹＥＳ）、送信先入力画面が液晶表示部１４に表示され、ユーザからキー入力部１５を介して、メールの送信先が入力される（ステップＳ１５）。送信先入力画面は、例えば図５（ｃ）に示す送信先入力画面１４３であり、送信先として、メールアドレスが入力される。
【００３４】
そして、ステップＳ１５において入力が承認されたか否かが判別される（ステップＳ１６）。入力が取り消された場合（ステップＳ１６；ＮＯ）、設定入力処理が終了される。入力が承認された場合（ステップＳ１６；ＹＥＳ）、指定位置入力画面が液晶表示部１４に表示され、ユーザからキー入力部１５を介して、ユーザの予め指定される行動予定の位置を示す指定位置が入力される（ステップＳ１７）。指定位置入力画面は、例えば図５（ｄ）に示す指定位置入力画面１４４であり、指定位置として、例えば、以前にＧＰＳ測位された位置としてのＧＰＳ測位履歴、住所、駅名、緯度・経度などが入力される。
【００３５】
そして、ステップＳ１７において入力が承認されたか否かが判別される（ステップＳ１８）。入力が取り消された場合（ステップＳ１８；ＮＯ）、設定入力処理が終了される。入力が承認された場合（ステップＳ１８；ＹＥＳ）、有効範囲入力画面が液晶表示部１４に表示され、ユーザからキー入力部１５を介して、ユーザの予め設定される行動予定の指定位置の有効範囲が入力される（ステップＳ１９）。有効範囲入力画面は、例えば図５（ｅ）に示す有効範囲入力画面１４５であり、有効範囲として、例えば、以前に２００ｍなどの数値が入力される。
【００３６】
そして、ステップＳ１９において入力が承認されたか否かが判別される（ステップＳ２０）。入力が取り消された場合（ステップＳ２０；ＮＯ）、設定入力処理が終了される。入力が承認された場合（ステップＳ２０；ＹＥＳ）、本文入力画面が液晶表示部１４に表示され、ユーザからキー入力部１５を介して、メールの本文が入力される（ステップＳ２１）。本文入力画面は、例えば図５（ｆ）に示す本文入力画面１４６である。
【００３７】
そして、ステップＳ２１において入力が承認されたか否かが判別される（ステップＳ２２）。入力が取り消された場合（ステップＳ２２；ＮＯ）、設定入力処理が終了される。入力が承認された場合（ステップＳ２２；ＹＥＳ）、オプション情報入力画面が液晶表示部１４に表示され、ユーザからキー入力部１５を介して、メールに関するオプション情報が入力される（ステップＳ２３）。オプション情報入力画面は、例えば図５（ｇ）に示すオプション情報入力画面１４７であり、オプション情報としては、例えば、距離通知の有無の指定や、アラーム鳴動の有無の指定などである。
【００３８】
そして、ステップＳ２１において入力が承認されたか否かが判別される（ステップＳ２４）。入力が取り消された場合（ステップＳ２４；ＮＯ）、設定入力処理が終了される。入力が承認された場合（ステップＳ２４；ＹＥＳ）、入力された各種情報がフラッシュメモリ２３に記憶され（ステップＳ２５）、設定入力処理が終了される。
【００３９】
具体的には、フラッシュメモリ２３内に、ステップＳ１１において入力された件名が件名情報６４として記憶され、ステップＳ１３において入力された指定時刻が指定時刻情報６２として記憶され、ステップＳ１５において入力された送信先が送信先情報６３として記憶され、ステップＳ１７及びＳ１９において入力された指定位置及び有効範囲が指定位置情報６１として記憶され、ステップＳ２１において入力された本文が本文情報６５として記憶され、ステップＳ２３において入力されたオプション情報がオプション情報６６として記憶される。
【００４０】
また、設定入力処理は、フラッシュメモリ２３の各種情報を初期設定するばかりでなく、フラッシュメモリ２３に記憶されている各種情報を更新する場合にも実行される。
【００４１】
次いで、図６及び図７を参照して、携帯電話機１０において実行される自動メール送信処理を説明する。自動メール送信処理は、ＧＰＳ測位により、携帯電話機１０のユーザが予め設定された行動予定範囲のからずれた場合に、自動的に所定の送信先にメール送信する処理である。携帯電話機１０において、前述した設定入力処理の実行終了をトリガとして、ＣＰＵ１１と、ＲＯＭ１２から適宜読み出されてＲＡＭ１３に展開された自動メール送信プログラムとの協働により自動メール送信処理が実行される。
【００４２】
先ず、計時部２５から現在時刻が取得され、フラッシュメモリ２３内から指定時刻情報６２の指定時刻が読み出されて、現在時刻が指定時刻を経過したか否かが判別される（ステップＳ３１）。指定時刻を経過していない場合（ステップＳ３１；ＮＯ）、ステップＳ３１に移行される。指定時刻を経過した場合（ステップＳ３１；ＹＥＳ）、ＧＰＳ部２４により現在位置が測位されて現在位置が取得される（ステップＳ３２）。
【００４３】
そして、フラッシュメモリ２３内から指定位置情報６１の指定位置範囲が読み出され、ステップＳ３２において取得された現在位置が指定位置範囲内であるか否かが判別される（ステップＳ３３）。現在位置が指定位置範囲内である場合（ステップＳ３３；ＹＥＳ）、ユーザが予定どおりの行動を通っているものとみなされ、自動メール送信処理が終了される。
【００４４】
現在位置が指定位置範囲内でない場合（ステップＳ３３；ＮＯ）、ユーザが予定どおりの行動を通っていないものとみなされ、電子メール生成処理が実行され（ステップＳ３４）、ステップＳ３４において生成された電子メールが送信先に送信され（ステップＳ３５）、自動メール送信処理が終了される。電子メール送信は、送信先のメールアドレスであり、基地局３０及び通信ネットワークＮを介して、例えば、送信先のメールが参照可能な機器としてのＰＣ４０や携帯電話機５０などに送信される。
【００４５】
図７を参照して、ステップＳ３４の電子メール生成処理を詳細に説明する。現在位置が指定位置範囲内でない場合（ステップＳ３３；ＮＯ）、フラッシュメモリ２３内から送信先情報６３の送信先が読み出され、その送信先がメールに設定される（ステップＳ３４１）。そして、フラッシュメモリ２３内から件名情報６４の件名が読み出され、その件名がメールに設定される（ステップＳ３４２）。そして、フラッシュメモリ２３内から本文情報６５の本文が読み出され、その本文がメールに設定される（ステップＳ３４３）。
【００４６】
そして、フラッシュメモリ２３内のオプション情報６６の距離通知の有無が参照され、距離通知を行うか否かが判別される（ステップＳ３４４）。距離通知を行う場合（ステップＳ３４４；ＹＥＳ）、ステップＳ３２で取得された現在位置から、ステップＳ３３で取得された指定位置までの距離が算出される（ステップＳ３４５）。そして、ステップＳ３４５において算出された距離がメールの本文に追加される（ステップＳ３４６）。
【００４７】
そして、フラッシュメモリ２３内のオプション情報６６のアラーム鳴動の有無が参照され、アラーム鳴音を行うか否かが判別される（ステップＳ３４７）。距離通知を行わない場合（ステップＳ３４４；ＮＯ）、ステップＳ３４７に移行される。アラーム鳴音を行わない場合（ステップＳ３４７；ＮＯ）、ステップＳ３５に移行される。アラーム鳴音を行う場合（ステップＳ３４７；ＹＥＳ）、鳴音部２２によりアラームが鳴音され（ステップＳ３４８）、ステップＳ３５に移行される。
【００４８】
本実施の形態の用途としては、例えば、携帯電話機１０のユーザが携帯電話機５０のユーザと待ち合わせをする場合に、メールの本文及び内容を待ち合わせの謝罪内容とし、指定位置範囲を待ち合わせ場所及びその周辺とし、指定時刻を待ち合わせ時刻とし、送信先を待ち合わせ相手の携帯電話機５０とすれば、待ち合わせ時刻に携帯電話機１０のユーザが待ち合わせに遅れた場合に、自動的に謝罪のメールを待ち合わせ相手（の携帯電話機５０）にもれなく送信することができる。
【００４９】
さらに、携帯電話機１０のユーザが、待ち合わせ場所に急いで向かっている場合、自動車、バイクなどを運転して向かっている場合、満員電車に乗っている場合、などのように携帯電話機１０の操作が不可能な状態にあっても、自動的に謝罪メールを送信することができる。
【００５０】
他の用途としては、例えば、携帯電話機１０のユーザがある職場の従業員である場合に、メールの本文及び内容を休暇又は遅出申請の内容とし、指定位置範囲をユーザの職場の所在地及びその周辺とし、指定時刻を始業時刻とし、送信先を職場のＰＣ４０とすれば、携帯電話機１０のユーザが職場に現れない場合に、自動的に休暇又は遅出申請のメールを職場の人間（のＰＣ４０）にもれなく送信することができる。
【００５１】
さらに、携帯電話機１０のユーザが、病気、怪我などにより携帯電話機１０の操作が困難な状態にあっても、自動的に休暇申請メールを送信することができる。
【００５２】
以上、本実施の形態によれば、計時部２５により取得された現在時刻が、フラッシュメモリ２３に記憶された指定時刻になり、ＧＰＳ部２４により測位された現在位置が、フラッシュメモリ２３に記憶された指定位置情報から外れている場合に、所定のメッセージを所定の送信先にメール送信するので、位置管理サーバを要しない簡単な構成により、ＧＰＳの測位に基づいて、指定時刻に情報処理装置を使用するユーザが指定された位置にいないとされた場合に、所定のメッセージを所定の送信先に自動的にメール送信することができる。
【００５３】
また、指定位置情報は、指定位置の有効範囲を含むので、ユーザが指定された位置にいるか否かをより正確に判別することができる。また、指定位置情報から現在位置までの距離を算出してメールの本文に追加可能であるので、送信先の機器のユーザが、携帯電話機１０のユーザの現在位置をより正確に把握することができる。
【００５４】
また、メール送信時の鳴音部２２によるアラーム報知が可能であるので、携帯電話機１０のユーザがメール送信（指定時刻）を確実に把握することができる。また、キー入力部１５の操作入力に基づいてフラッシュメモリ２３への各種情報の記憶設定又は記憶された情報の更新が可能であるので、ユーザが自在に指定位置、指定時刻やメール内容を設定することができる。
【００５５】
なお、設定入力処理により入力される各種情報は、単数に限定されるものではなく、複数としてもよい。例えば、送信先や指定時刻は、複数としてもよい。
【００５６】
また、上記実施の形態では、オプション情報に対応して、アラーム鳴音による報知が可能な構成としたが、これに限定されるものではなく、携帯電話機１０のバイブレータ２１の振動などによる他の報知が可能な構成としてもよい。また、アラーム鳴音を、メール送信のタイミングで行っているが、これに限定されるものではなく、現在時刻が、指定時刻となったタイミングや、予めユーザにより設定された報知時刻となったタイミングで報知されることとしてもよい。
【００５７】
また、上記実施の形態では、携帯電話機１０から所定のメッセージ（本文及び件名）を含むメールを送信先に送信する構成としたが、これに限定されるものではない。例えば、静止画、動画、音楽などのファイルをメールに添付する構成としてもよく、また、電子メール以外の通信方式で所定のメッセージを送信することとしてもよい。さらに、携帯電話機１０から機械音声やユーザの録音音声などの所定のメッセージを送信先の電話機に発呼する構成としてもよい。
【００５８】
また、上記各実施の形態における携帯電話システム１００の各構成要素の細部構成及び細部動作に関しては、本発明の趣旨を逸脱することのない範囲で適宜変更可能であることは勿論である。
【図面の簡単な説明】
【００５９】
【図１】本発明に係る実施の形態の携帯電話システム１００の構成を示す図である。
【図２】携帯電話機１０の内部構成を示すブロック図である。
【図３】フラッシュメモリ２３に記憶するデータ構成を示す図である。
【図４】設定入力処理を示すフローチャートである。
【図５】各種入力画面を示す図であり、（ａ）は件名入力画面１４１を示す図であり、（ｂ）は指定時刻入力画面１４２を示す図であり、（ｃ）は送信先入力画面１４３を示す図であり、（ｄ）は指定位置入力画面１４４を示す図であり、（ｅ）は有効範囲入力画面１４５を示す図であり、（ｆ）は本文入力画面１４６を示す図であり、（ｇ）はオプション情報入力画面１４７を示す図である。
【図６】自動メール送信処理を示すフローチャートである。
【図７】図６の自動メール送信処理内の電子メール生成処理を示すフローチャートである。
【符号の説明】
【００６０】
１００  携帯電話システム
１０，５０  携帯電話機
１１  ＣＰＵ
１２  ＲＯＭ
１３  ＲＡＭ
１４  液晶表示部
１５  キー入力部
１６  アンテナ
１７  無線部
１８  スピーカ
１９  マイク
２０  音声変換回路
２１  バイブレータ
２２  鳴音部
２３  フラッシュメモリ
２４  ＧＰＳ部
２５  計時部
３０  基地局
４０  ＰＣ
【図１】
2005269345.tif 000003
【図２】
2005269345.tif 000004
【図３】
2005269345.tif 000005
【図４】
2005269345.tif 000006
【図５】
2005269345.tif 000007
【図６】
2005269345.tif 000008
【図７】
2005269345.tif 000009